(57)【特許請求の範囲】
【請求項１】
外周が環状につながり内周方向へ突出する複数の極歯部を有する固定子鉄心と、隣り合う前記極歯部の間に形成されるスロットと、前記固定子鉄心の内周側には巻線を前記極歯部に巻装する巻線機ニードルが通過するためのスロット開口部と、前記極歯部と前記巻線を絶縁するためのインシュレータと、このインシュレータの前記スロット開口部に外周側に突出する突出部を備え、この突出部には前記巻線機ニードルの先端を格納できる格納空間部を設け、この格納空間部は前記スロット開口部よりも幅広に形成したことを特徴とする電動機の固定子。
【請求項２】
外周が環状につながり内周方向へ突出する複数の極歯部を有する固定子鉄心と、隣り合う前記極歯部の間に形成されるスロットと、前記固定子鉄心の内周側には巻線を前記極歯部に直接巻装する巻線機ニードルが通過するためのスロット開口部と、前記極歯部と前記巻線を絶縁するためのインシュレータと、このインシュレータの前記スロット開口部に溝部を備えるとともに、前記巻線機ニードルの先端を格納するためのくぼみ形状の格納空間部を設け、前記極歯部に巻線を巻装した後、前記溝部に絶縁体を挿入したことを特徴とする電動機の固定子。
【請求項３】
外周が環状につながり内周方向へ突出する複数の極歯部を有する固定子鉄心と、隣り合う前記極歯部の間に形成されるスロットと、前記固定子鉄心の内周側には巻線を前記極歯部に直接巻装する巻線機ニードルが通過するためのスロット開口部と、前記極歯部と前記巻線を絶縁するためのインシュレータと、このインシュレータと前記極歯部のスロット開口部には径方向に隙間部を備えるとともに、前記巻線機ニードルの先端を格納するためのくぼみ形状の格納空間部を設け、前記極歯部に巻線を巻装した後、前記隙間部に絶縁体を挿入したことを特徴とする電動機の固定子。
【請求項４】
前記インシュレータの前記巻線機ニードル内周側揺動端部より内周側には、前記巻線の線径に応じた複数の条溝を設けたことを特徴とする請求項１記載の電動機の固定子。
【発明の詳細な説明】
【０００１】
【発明の属する技術分野】
本発明は、主にルームエアコン、給湯機、レンジフードや天井埋め込み型等の換気扇などの送風ファン駆動源として用いられるブラシレスモータなどの電動機の固定子の構成に関するものである。
【０００２】
【従来の技術】
近年、省エネルギー化の観点から駆動源である電動機の小型・高性能化のために、巻線の高密度化および駆動電圧の高圧化の必要性が高まってきている。また、静穏化の観点からコギングトルクなどを低減するためにスロット開口部を狭くする必要性が高まってきている。
【０００３】
従来のこの種の電動機の固定子は、図１２〜図２３に示すような構成であった。図１２〜図１５の場合、環状の固定子に内径側から直接巻線を巻装する構造である。図１２は固定子の平面図（巻線部は断面を図示）、図１３は要部詳細図（巻線部および巻線機ニードルは断面を図示）、図１４は巻線巻装前の固定子の平面図、図１５は固定子鉄心の平面図である。図において、５１は外周が環状につながり内周方向へ突出する複数の極歯部５２を有する積層された固定子鉄心で、隣り合う極歯部５２の間にスロット５３を形成し、固定子鉄心５１の内周側には巻線５４ａを直接巻装する巻線機ニードル５５が通過するためのスロット開口部５３ａを設け、５４はインシュレータ５６を介して略直交する巻線部で、インシュレータ５６のスロット開口部５３ａには極歯部５２の端部と巻線部５４の絶縁距離を確保するために、外周方向に突出部５７を備え、スロット開口部５３ａはコギングトルクなどを低減するために巻線機ニードル５５の胴体部５５ｂのみが通過することができる幅まで狭く構成されている。
【０００４】
上記構成において、固定子鉄心５１はインシュレータ５６にて一体的にモールド成形、あるいは軸方向から挟み込まれ、巻線機ニードル５５がスロット開口部５３ａを軸方向に通過するとともに、径方向に外周側揺動端部から内周側揺動端部まで揺動しながら、巻線５４ａを極歯部５２に直接巻装して固定子が完成される。
【０００５】
また、図１６〜図１９の場合は、極歯６２単位毎に鉄心６１を分割し、分割された鉄心６１に巻線を巻装する構造である。図１６は固定子鉄心構造を示す平面図、図１７は極歯毎にばらばらに分割された固定子片を示す平面図、図１８は固定子片に巻線した状態を示す平面断面図、図１９は巻線後の固定子片を組み合わせ固定子を構成した状態を示す平面断面図である。図において、分割された固定子片６６は、板厚が薄い電磁鋼板を積層して作られている。この固定子片６６に巻線６４を巻装する場合は、個々に分割された固定子片６６に絶縁物６３を装着した後、巻線６４を巻装し、個々に分割された固定子片６６毎に巻線の巻始め端末および巻終わり端末を接続処理し、図１８に示す巻線完了した個々の固定子片６６を、図１９に示すように組み合わせ、各固定子片６６の接触部分を、装着、溶接等により一体化して環状の固定子６５を構成するものである。
【０００６】
また、図２０〜図２３の場合は、薄肉連結部７７を設けることによって、固定子鉄心７１を展開して巻線７４を巻装する構造である。図２０は帯状に展開された固定子鉄心を示す平面図、図２１は図２０に示す固定子鉄心に巻線を巻装した状態を示す平面断面図、図２２は図２１に示す巻線後の固定子鉄心を薄肉連結部にて折り曲げ、組立治具に巻いて環状体とする途中の固定子を示す平面断面図、図２３は環状に構成された固定子を示す平面断面図である。図において、隣り合う極歯７２を薄肉連結部７７にて連結し、帯状に展開された固定子鉄心７１は、板厚が薄い電磁鋼板を積層して作られている。この固定子鉄心７１に巻線７４を巻装する場合は、絶縁物７３を装着した後、極歯７２単位毎に巻線７４を順次巻装する。このとき、渡り線は切断することなく繋げた状態で巻装している。そして、組立治具７５に巻くように帯状の固定子鉄心７１を薄肉連結部７７にて折り曲げて環状体の固定子７６の形状をなすものである。
【０００７】
【発明が解決しようとする課題】
このような従来の電動機の固定子によれば、図１２〜図１５のような構成の場合、巻線機ニードル５５の先端部５５ａは巻線の被膜を傷つけないために大きめの曲率が必要となるので、胴体部５５ｂよりも太く構成されるため、極歯部５２の内周側揺動端部よりも内周側に位置する内周側部５８は突出部５７に巻線機ニードル５５の先端部５５ａが巻装途中に接触しないように巻線機ニードル５５を揺動しているので、揺動により直接整列状に巻き込むことができないため、巻装された巻線５４ａがある程度巻装された後に巻崩れて巻装しているので、巻線機ニードル５５が揺動されている部分でも巻線が交差して巻装されることとなり、導体占有率が低下するという課題があり、極歯部端部と巻線部の絶縁距離を確保するとともに導体占有率を向上することが要求されている。
【０００８】
また、図１６〜図１９のような構成の場合、導体占有率を高くするために、極歯６２単位毎に鉄心６１を分割しているために、巻線６４の巻始め端末（図示せず）、および巻終わり端末（図示せず）は、鉄心６１の倍数が未接続の状態となる。すなわち、回転電機の電気回路を構成するためには、巻線端末の接続処理加工が倍増するという課題があった。また、分割された鉄心６１を組み立てる場合においても、部品点数が多くなることによって、組立性が悪くなり加工費に無駄が生じるという課題があった。また、分割しているために鉄損が増加するという課題があり、導体占有率を高め、巻線端末の接続処理の増加を防止するとともに、部品点数の増加を防ぎ、鉄損の増加を防止することが要求されている。
【０００９】
また、図２０〜図２３のような構成の場合、導体占有率を高め、巻線端末の接続処理を増加させないために、薄肉連結部７７を設けて、鉄心７１を帯状に展開した極歯７２片に巻線７４を巻装後、薄肉連結部７７を折り曲げて加工するので、薄肉連結部７７には歪みが生じるために鉄損が増加するという課題があった。また、折り曲げ加工を行うため、固定子内周の真円度の確保が困難であるという課題があり、導体占有率を高め、巻線端末の接続処理を増加させることなく、鉄損の増加を防止でき、固定子内周の真円度を確保することが要求されている。
【００１０】
本発明は、このような従来の課題を解決するものであり、極歯部端部と巻線部の絶縁距離を確保でき、また巻線端末の接続処理加工の増加を防止でき、また部品点数の増加を防止でき、また固定子内周の真円度を確保でき、また鉄損の増加を防止でき、また導体占有率を向上することのできる電動機の固定子を提供することを目的とする。
【００１１】
【課題を解決するための手段】
本発明のブラシレスモータの駆動装置は上記目的を達成するために第１の手段は、外周が環状につながり内周方向へ突出する複数の極歯部を有する固定子鉄心と、隣り合う前記極歯部の間に形成されるスロットと、前記固定子鉄心の内周側には巻線を前記極歯部に巻装する巻線機ニードルが通過するためのスロット開口部と、前記極歯部と前記巻線を絶縁するためのインシュレータと、このインシュレータの前記スロット開口部に外周側に突出する突出部を備え、この突出部には前記巻線機ニードルの先端を格納できる格納空間部を設けたことを特徴とする電動機の固定子の構成としたものである。
【００１２】
これにより、極歯部端部と巻線部の絶縁距離を確保でき、また巻線端末の接続処理の増加を防止でき、また部品点数の増加を防止でき、また固定子内周の真円度を確保でき、また鉄損の増加を防止でき、また導体占有率を向上することのできる電動機の固定子が得られる。
【００１３】
また、上記目的を達成するために、第２の手段は、外周が環状につながり内周方向へ突出する複数の極歯部を有する固定子鉄心と、隣り合う前記極歯部の間に形成されるスロットと、前記固定子鉄心の内周側には巻線を前記極歯部に巻装する巻線機ニードルが通過するためのスロット開口部と、前記極歯部と前記巻線を絶縁するためのインシュレータと、このインシュレータの前記スロット開口部に溝部を備え、前記極歯部に巻線を巻装した後、前記溝部に絶縁体を挿入したことを特徴とする電動機の固定子の構成としたものである。
【００１４】
これにより、極歯部端部と巻線部の絶縁距離を確保でき、また巻線端末の接続処理の増加を防止でき、また固定子内周の真円度を確保でき、また鉄損の増加を防止でき、また導体占有率を向上することのできる電動機の固定子が得られる。
【００１５】
また、上記目的を達成するために、第３の手段は、外周が環状につながり内周方向へ突出する複数の極歯部を有する固定子鉄心と、隣り合う前記極歯部の間に形成されるスロットと、前記固定子鉄心の内周側には巻線を前記極歯部に巻装する巻線機ニードルが通過するためのスロット開口部と、前記極歯部と前記巻線を絶縁するためのインシュレータと、このインシュレータと前記極歯部のスロット開口部には径方向に隙間部を設け、前記極歯部に巻線を巻装した後、前記隙間部に絶縁体を挿入したことを特徴とする電動機の固定子の構成としたものである。
【００１６】
これにより、極歯部端部と巻線部の絶縁距離を確保でき、また巻線端末の接続処理の増加を防止でき、また固定子内周の真円度を確保でき、また鉄損の増加を防止でき、また導体占有率を向上することのできる電動機の固定子が得られる。
【００１７】
また、上記目的を達成するために、第４の手段は、外周が環状につながり内周方向へ突出する複数の極歯部を有する固定子鉄心と、隣り合う前記極歯部の間に形成されるスロットと、前記固定子鉄心の内周側には巻線を前記極歯部に巻装する巻線機ニードルが通過するためのスロット開口部と、前記極歯部と前記巻線を絶縁するためのインシュレータと、このインシュレータの前記スロット開口部に溝部を備えるとともに、前記巻線機ニードルの先端を格納できる格納空間部を設け、前記極歯部に巻線を巻装した後、前記溝部に絶縁体を挿入したことを特徴とする電動機の固定子の構成としたものである。
【００１８】
これにより、極歯部端部と巻線部の絶縁距離を確保でき、また巻線端末の接続処理の増加を防止でき、また固定子内周の真円度を確保でき、また鉄損の増加を防止でき、また導体占有率をさらに向上することのできる電動機の固定子が得られる。
【００１９】
また、上記目的を達成するために、第５の手段は、外周が環状につながり内周方向へ突出する複数の極歯部を有する固定子鉄心と、隣り合う前記極歯部の間に形成されるスロットと、前記固定子鉄心の内周側には巻線を前記極歯部に巻装する巻線機ニードルが通過するためのスロット開口部と、前記極歯部と前記巻線を絶縁するためのインシュレータと、このインシュレータと前記極歯部のスロット開口部には径方向に隙間部を備えるとともに、前記巻線機ニードルの先端を格納できる格納空間部を設け、前記極歯部に巻線を巻装した後、前記隙間部に絶縁体を挿入したことを特徴とする電動機の固定子の構成としたものである。
【００２０】
これにより、極歯部端部と巻線部の絶縁距離を確保でき、また巻線端末の接続処理の増加を防止でき、また固定子内周の真円度を確保でき、また鉄損の増加を防止でき、また導体占有率をさらに向上することのできる電動機の固定子が得られる。
【００２１】
また、上記目的を達成するために、第６の手段は、インシュレータの前記巻線機ニードル内周側揺動端部より内周側には、前記巻線の線径に応じた複数の条溝を設けたことを特徴とする電動機の固定子の構成としたものである。
【００２２】
これにより、さらに導体占有率を向上することのできる電動機の固定子が得られる。
【００２３】
【発明の実施の形態】
本発明の請求項１に記載の発明は、インシュレータのスロット開口部に外周側に突出する突出部を備え、この突出部には巻線機ニードルの先端を格納できる格納空間部を設けたことを特徴とする電動機の固定子としたものであり、巻線機ニードルの揺動範囲が増加することにより、整列巻装できる範囲が増加するという作用を有する。
【００２４】
また、請求項２に記載の発明は、インシュレータのスロット開口部に溝部を備え、極歯部に巻線を巻装した後、溝部に絶縁体を挿入したことを特徴とする電動機の固定子としたものであり、極歯部端部と巻線部の絶縁距離を確保するとともに、巻線機ニードルの揺動範囲が増加することにより、整列巻装できる範囲が増加するという作用を有する。
【００２５】
また、請求項３に記載の発明は、インシュレータと極歯部のスロット開口部には径方向に隙間部を設け、前記極歯部に巻線を巻装した後、前記隙間部に絶縁体を挿入したことを特徴とする電動機の固定子としたものであり、極歯部端部と巻線部の絶縁距離を確保するとともに、巻線機ニードルの揺動範囲が増加することにより、整列巻装できる範囲が増加するという作用を有する。
【００２６】
また、請求項４に記載の発明は、インシュレータのスロット開口部に溝部を備えるとともに、巻線機ニードルの先端を格納できる格納空間部を設け、前記極歯部に巻線を巻装した後、前記溝部に絶縁体を挿入したことを特徴とする電動機の固定子としたものであり、極歯部端部と巻線部の絶縁距離を確保するとともに、巻線機ニードルの揺動範囲が増加することにより、整列巻装できる範囲がさらに増加するという作用を有する。
【００２７】
また、請求項５に記載の発明は、インシュレータと極歯部のスロット開口部には径方向に隙間部を備えるとともに、巻線機ニードルの先端を格納できる格納空間部を設け、前記極歯部に巻線を巻装した後、前記隙間部に絶縁体を挿入したことを特徴とする電動機の固定子としたものであり、極歯部端部と巻線部の絶縁距離を確保するとともに、巻線機ニードルの揺動範囲が増加することにより、整列巻装できる範囲がさらに増加するという作用を有する。
【００２８】
また、請求項６に記載の発明は、インシュレータの前記巻線機ニードル内周側揺動端部より内周側には、前記巻線の線径に応じた複数の条溝を設けたことを特徴とする電動機の固定子の構成としたものであり、巻線機ニードルが揺動しない領域においても整列巻装できるという作用を有する。
【００２９】
以下、本発明の実施例について図面を参照しながら説明する。
【００３０】
【実施例】
（実施例１）
図１〜図４に示すように、１は外周が環状につながり内周方向へ突出する複数の極歯部２を有する積層された固定子鉄心で、隣り合う極歯部２の間にスロット３を形成し、固定子鉄心１の内周側には巻線４を極歯部２に直接巻装する巻線機ニードル６が通過するためのスロット開口部３ａを設け、固定子鉄心１には巻線４と絶縁するためのインシュレータ５が一体的にインサート成形され、このインシュレータ５の極歯部２と環状部１ａの境界には巻線４が外周側に倒れないように外周側壁５ｃを備えるとともに、スロット開口部３ａには極歯部２の端部と巻線４の絶縁距離を確保し、インシュレータ５の内周側壁５ｂが巻線４の巻装による内周側への倒れを防止するために、外周側へ突出する突出部５ａを備え、この突出部５ａには巻線機ニードル６の先端部６ａを格納できる格納空間部７を設けた構成である。
【００３１】
上記構成において、巻線４の巻装は巻線機ニードル６がスロット開口部３ａを軸方向に通過するとともに、径方向に外周側揺動端部から内周側揺動端部まで揺動しながら、巻線４を極歯部２にインシュレータ５を介して直接巻装される。このとき、巻線４は外周側壁５ｃによって外周側に巻崩れるのが防止される。また、巻線機ニードル６の先端部６ａは格納空間部７に収まるまで揺動されることとなるため、極歯部２の内周側部に整列巻きされる領域は増加するので、巻線が交差して巻装されることが無くなり、極歯部２端部と巻線４部の絶縁距離を確保するとともに、導体占有率を向上できることとなる。
【００３２】
なお、実施例１ではインシュレータ５は固定子鉄心１に一体的にインサート成形したが、軸方向から挟み込む構成でもよく、その作用効果に差異を生じない。
【００３３】
（実施例２）
なお実施例１と同一部分には同一記号を付し、その詳細な説明は省略する。
【００３４】
図５および図６に示すように、インシュレータ８の前記スロット開口部３ａに溝部８ａを備えた構成であり、その他の構成は実施例１と同じである。
【００３５】
上記構成において、巻線４の巻装は巻線機ニードル６がスロット開口部３ａを軸方向に通過するとともに、径方向に外周側揺動端部から内周側揺動端部まで揺動しながら、巻線４を極歯部２にインシュレータ８を介して直接巻装される。このとき、巻線４は外周側壁８ｂによって外周側に巻崩れるのが防止される。また、巻線機ニードル６の先端部６ａは固定子鉄心１の内周付近まで揺動されることとなるため、極歯部２の内周側部に整列巻きされる領域は増加するので、巻線が交差して巻装されることが無くなる。そして巻線巻装後、溝部８ａに絶縁体である絶縁フィルム９を挿入するため、極歯部２端部と巻線４部の絶縁距離を確保するとともに、導体占有率を向上できることとなる。
【００３６】
なお、実施例２ではインシュレータ８は固定子鉄心１に一体的にインサート成形したが、軸方向から挟み込む構成でもよく、その作用効果に差異を生じない。また、絶縁体として絶縁フィルム９を挿入したが、絶縁性能を有するものであればよく、その作用効果に差異を生じない。
【００３７】
（実施例３）
なお実施例１と同一部分には同一記号を付し、その詳細な説明は省略する。
【００３８】
図７および図８に示すように、極歯部２とインシュレータ１０のスロット開口部３ａには径方向に絶縁体を挿入するための隙間部１１を備えた構成であり、その他の構成は実施例１と同じである。
【００３９】
上記構成において、巻線４の巻装は巻線機ニードル６がスロット開口部３ａを軸方向に通過するとともに、径方向に外周側揺動端部から内周側揺動端部まで揺動しながら、巻線４を極歯部２にインシュレータ１０を介して直接巻装される。このとき、巻線４は外周側壁１０ａによって外周側に巻崩れるのが防止される。また、巻線機ニードル６の先端部６ａは固定子鉄心１の内周付近まで揺動されることとなるため、極歯部２の内周側部に整列巻きされる領域は増加するので、巻線が交差して巻装されることが無くなる。そして巻線巻装後、隙間部１１に絶縁体である絶縁フィルム９を挿入するため、極歯部２端部と巻線４部の絶縁距離を確保するとともに、導体占有率を向上できることとなる。
【００４０】
なお、実施例３ではインシュレータ１０は固定子鉄心１に一体的にインサート成形したが、軸方向から挟み込む構成でもよく、その作用効果に差異を生じない。また、絶縁体として絶縁フィルム９を挿入したが、絶縁性能を有するものであればよく、その作用効果に差異を生じない。
【００４１】
（実施例４）
なお実施例１と同一部分には同一記号を付し、その詳細な説明は省略する。
【００４２】
図９に示すように、インシュレータ１２の前記スロット開口部３ａに溝部１２ａと、格納空間部１３を備えた構成であり、その他の構成は実施例１と同じである。
【００４３】
上記構成において、巻線４の巻装は巻線機ニードル６がスロット開口部３ａを軸方向に通過するとともに、径方向に外周側揺動端部から内周側揺動端部まで揺動しながら、巻線４を極歯部２にインシュレータ１２を介して直接巻装される。このとき、巻線４は外周側壁１２ｂによって外周側に巻崩れるのが防止される。また、巻線機ニードル６の先端部６ａは格納空間部１３に収まるまで揺動されることとなるため、巻線機ニードル６の先端部６ａは固定子鉄心１の内周近傍まで揺動され、極歯部２の内周側部に整列巻きされる領域は増加するので、巻線が交差して巻装されることが無くなる。そして巻線巻装後、溝部１２ａに絶縁体である絶縁フィルム９（図示せず）を挿入するため、極歯部２端部と巻線４部の絶縁距離を確保するとともに、導体占有率を向上できることとなる。
【００４４】
なお、実施例４ではインシュレータ１２は固定子鉄心１に一体的にインサート成形したが、軸方向から挟み込む構成でもよく、その作用効果に差異を生じない。また、絶縁体として絶縁フィルム９を挿入したが、絶縁性能を有するものであればよく、その作用効果に差異を生じない。
【００４５】
（実施例５）
なお実施例１と同一部分には同一記号を付し、その詳細な説明は省略する。
【００４６】
図１０に示すように、極歯部２とインシュレータ１４のスロット開口部３ａには径方向に絶縁体を挿入するための隙間部１５を備え、インシュレータ１４の前記スロット開口部３ａに格納空間部１６を備えた構成であり、その他の構成は実施例１と同じである。
【００４７】
上記構成において、巻線４の巻装は巻線機ニードル６がスロット開口部３ａを軸方向に通過するとともに、径方向に外周側揺動端部から内周側揺動端部まで揺動しながら、巻線４を極歯部２にインシュレータ１４を介して直接巻装される。このとき、巻線４は外周側壁１４ａによって外周側に巻崩れるのが防止される。また、巻線機ニードル６の先端部６ａは格納空間部１６に収まるまで揺動されることとなるため、巻線機ニードル６の先端部６ａは固定子鉄心１の内周近傍まで揺動され、極歯部２の内周側部に整列巻きされる領域は増加するので、巻線が交差して巻装されることが無くなる。そして巻線巻装後、隙間部１５に絶縁体である絶縁フィルム９（図示せず）を挿入するため、極歯部２端部と巻線４部の絶縁距離を確保するとともに、導体占有率を向上できることとなる。
【００４８】
なお、実施例５ではインシュレータ１４は固定子鉄心１に一体的にインサート成形したが、軸方向から挟み込む構成でもよく、その作用効果に差異を生じない。また、絶縁体として絶縁フィルム９を挿入したが、絶縁性能を有するものであればよく、その作用効果に差異を生じない。
【００４９】
（実施例６）
なお実施例１と同一部分には同一記号を付し、その詳細な説明は省略する。
【００５０】
図１１に示すように、インシュレータ１７には巻線機ニードル６の内周側揺動端部よりも内周側に巻線４の線径に応じた略Ｖ字状の条溝１８を備えた構成であり、その他の構成は実施例１と同じである。
【００５１】
上記構成において、巻線４の巻装は巻線機ニードル６がスロット開口部３ａを軸方向に通過するとともに、径方向に外周側揺動端部から内周側揺動端部まで揺動しながら、巻線４を極歯部２にインシュレータ１７を介して直接巻装される。このとき、巻線４は外周側壁１７ａによって外周側に巻崩れるのが防止される。また、巻線機ニードル６の先端部６ａは格納空間部７に収まるまで揺動されることとなる。さらに巻線機ニードル６が揺動しない領域においても、巻崩れた巻線４が条溝１８に沿って１層目が整列巻きとなるので、極歯部２の内周側部に整列巻きされる領域は増加するため、巻線が交差して巻装されることが無くなり、極歯部２端部と巻線４部の絶縁距離を確保するとともに、導体占有率をさらに向上できることとなる。
【００５２】
なお、実施例６では条溝１８を略Ｖ字状としたが、巻線４を保持できる形状であれば良く、その作用効果に差異を生じない。また、条溝１８は極歯部２を覆うインシュレータ１７の角４箇所のみに設けても良く、その作用効果に差異を生じない。
【００５３】
【発明の効果】
以上の実施例から明らかなように、本発明によれば、極歯部端部と巻線部の絶縁距離を確保でき、また巻線端末の接続処理加工の増加を防止でき、また部品点数の増加を防止でき、また固定子内周の真円度を確保でき、また鉄損の増加を防止でき、また導体占有率を向上することができるという効果のある電動機の固定子を提供できる。
【図面の簡単な説明】
【図１】本発明の実施例１の電動機の固定子の平面図
【図２】同要部詳細図
【図３】同巻線巻装前の固定子の平面図
【図４】同固定子鉄心の平面図
【図５】本発明の実施例２の電動機の固定子の平面図
【図６】同要部詳細図
【図７】本発明の実施例３の電動機の固定子の平面図
【図８】同要部詳細図
【図９】本発明の実施例４の電動機の固定子の要部詳細図
【図１０】本発明の実施例５の電動機の固定子の要部詳細図
【図１１】本発明の実施例６の電動機の固定子の要部詳細図
【図１２】従来の電動機の固定子の平面図
【図１３】同要部詳細図
【図１４】同巻線巻装前の固定子の平面図
【図１５】同固定子鉄心の平面図
【図１６】他の従来の電動機の固定子鉄心構造を示す平面図
【図１７】同極歯毎にばらばらに分割された固定子片を示す平面図
【図１８】同固定子片に巻線した状態を示す平面断面図
【図１９】同巻線後の固定子片を組み合わせ固定子を構成した状態を示す平面断面図
【図２０】他の従来の電動機の固定子鉄心構造を示す平面図
【図２１】同固定子に巻線を巻装した状態を示す平面断面図
【図２２】同巻線後の固定子を薄肉連結部にて折り曲げて環状とする途中を示す平面断面図
【図２３】同環状に構成された固定子を示す平面断面図
【符号の説明】
１      固定子鉄心
２      極歯部
３      スロット
３ａ    スロット開口部
４      巻線
５      インシュレータ
５ａ    突出部
５ｂ    内周側壁
５ｃ    外周側壁
６      巻線機ニードル
６ａ    先端部
７      格納空間部
８      インシュレータ
８ａ    溝部
８ｂ    外周側壁
９      絶縁フィルム
１０    インシュレータ
１０ａ  外周側壁
１１    隙間部
１２    インシュレータ
１２ａ  溝部
１２ｂ  外周側壁
１３    格納空間部
１４    インシュレータ
１４ａ  外周側壁
１５    隙間部
１６    格納空間部
１７    インシュレータ
１７ａ  外周側壁
１８    条溝
【図１】
0003575987.tif 000002
【図２】
0003575987.tif 000003
【図３】
0003575987.tif 000004
【図４】
0003575987.tif 000005
【図５】
0003575987.tif 000006
【図６】
0003575987.tif 000007
【図７】
0003575987.tif 000008
【図８】
0003575987.tif 000009
【図９】
0003575987.tif 000010
【図１０】
0003575987.tif 000011
【図１１】
0003575987.tif 000012
【図１２】
0003575987.tif 000013
【図１３】
0003575987.tif 000014
【図１４】
0003575987.tif 000015
【図１５】
0003575987.tif 000016
【図１６】
0003575987.tif 000017
【図１７】
0003575987.tif 000018
【図１８】
0003575987.tif 000019
【図１９】
0003575987.tif 000020
【図２０】
0003575987.tif 000021
【図２１】
0003575987.tif 000022
【図２２】
0003575987.tif 000023
【図２３】
0003575987.tif 000024